(57)【要約】【課題】本発明は、電極材料を巻回するときの巻きズレを無くし、巻回した素子を巻芯から容易に抜き取ることができ、素子の電気的特性バラツキを低減して品質の向上を図る。【解決手段】電極材料を巻回する巻回装置の巻芯であって、巻芯は第１巻軸１２と第２巻軸２０を有し、それぞれの巻軸１２、２０は、軸受１１、１９に固定される円柱の固定部１３、２１と、固定部１３、２１から延びて軸の長手方向に傾斜した切断面１５ａ、２３ａを有した半円柱の巻回部１５、２３を段差部１４、２２を介して有し、それぞれの固定部１３、２１の外周に保持ガイド１７、２５を配設し、第１巻回部１５の先端１６を第２保持ガイド２５と第２段差部２２の間に差し込み、かつ、前記第２巻回部２３の先端２４を第１保持ガイド１７と第１段差部１４の間に差し込んで第１巻回部１５の切断面１５ａと第２巻回部２３の切断面２３ａの間に隙間を設けた巻回装置の巻芯とする。【選択図】図１
2013187356.tif 000002
【特許請求の範囲】
【請求項１】
電極材料を巻回する巻回装置の巻芯であって、巻芯は第１巻軸と第２巻軸を有し、
前記第１巻軸は、第１軸受に固定される円柱の第１固定部と、第１固定部から延びて軸の長手方向に傾斜した切断面を有した半円柱の第１巻回部を第１段差部を介して有し、前記第１固定部の外周に第１段差部を覆う第１保持ガイドが配設され、
前記第２巻軸は、第２軸受に固定される円柱の第２固定部と、第２固定部から延びて軸の長手方向に傾斜した切断面を有した半円柱の第２巻回部を第２段差部を介して有し、前記第２固定部の外周に第２段差部を覆う第２保持ガイドが配設され、
前記第１巻回部の先端と第２巻回部の先端が対向するように前記第１巻軸と第２巻軸を水平に対置させ、前記第１巻回部の先端を第２保持ガイドと第２段差部の間に差し込み、かつ、前記第２巻回部の先端を第１保持ガイドと第１段差部の間に差し込んで第１巻回部の切断面と第２巻回部の切断面の間に隙間を設けた巻回装置の巻芯。
【請求項２】
前記第１巻回部及び第２巻回部のいずれか一方の厚さを他方より薄くした請求項１に記載の巻回装置の巻芯。
【請求項３】
巻回装置の巻芯を用いて電極材料を巻回する素子の製造方法であって、巻芯は第１巻軸と第２巻軸を有し、前記第１巻軸は、第１軸受に固定される円柱の第１固定部と、第１固定部から延びて軸の長手方向に傾斜した切断面を有した半円柱の第１巻回部を第１段差部を介して有し、前記第１固定部の外周に第１段差部を覆う第１保持ガイドが配設され、前記第２巻軸は、第２軸受に固定される円柱の第２固定部と、第２固定部から延びて軸の長手方向に傾斜した切断面を有した半円柱の第２巻回部を第２段差部を介して有し、前記第２固定部の外周に第２段差部を覆う第２保持ガイドが配設され、
前記第１巻回部の先端と第２巻回部の先端が対向するように前記第１巻軸と第２巻軸を水平に対置させてなり、
前記第１巻軸を水平移動させて第１巻回部の切断面に電極材料を配置させ、続いて、前記第２巻軸を水平移動させて第２保持ガイドと第２段差部の間に第１巻回部の先端を差し込むと同時に、第１保持ガイドと第１段差部の間に第２巻回部の先端を差し込まれる工程と、
前記第１巻回部の切断面と第２巻回部の切断面の間に設けた隙間に電極材料が挟み込まれて巻芯を回転することにより巻回された素子を形成する工程と、
前記第２巻軸を素子から引き抜いた後、前記第１巻軸から素子を抜き取る工程と、を備えた素子の製造方法。
【請求項４】
前記第１巻回部の切断面と第２巻回部の切断面の間に設けた隙間の軸方向の長さは、巻回する素子の幅の長さよりも長くし、素子の幅方向の両サイドに隙間を露出させるようにした請求項３に記載の素子の製造方法。
【請求項５】
前記第１巻回部の切断面または前記第２巻回部の切断面のいずれか一方の厚さを他方より薄くし、巻回する電極材料の始めを厚い方の巻回部に巻き付けるようにした請求項３または４に記載の素子の製造方法。
【請求項６】
前記電極材料は陽極箔、陰極箔、セパレータからなり、前記第１巻回部の切断面と第２巻回部の切断面の間に設けた隙間にはセパレータだけを挟み込んで数回巻回した後、陽極箔及び陰極箔をセパレータ間に挟んで巻回するようにした請求項３〜５のいずれかに記載の素子の製造方法。
【請求項７】
前記請求項６の製造方法で得られた素子を用いた電解コンデンサ。
【発明の詳細な説明】
【技術分野】
【０００１】
本発明は各種電子機器等に使用される金属化フィルムコンデンサ、電解コンデンサ、電気二重層コンデンサ等のコンデンサや、円筒型電池に用いられる電極材料を巻回する素子巻回装置の巻芯及び素子の製造方法と、その素子を用いた電解コンデンサに関するものである。
【背景技術】
【０００２】
従来の帯状の電極材料を巻回する方法としては、例えば、特許文献１は、コンデンサのコンデンサ素子の製造方法において、巻芯に設けられたスリット内に陽極箔の先端部を保持させた状態で他の材料を同時に保持させ、この状態で陽極箔及び他の材料を巻回することによりコンデンサ素子を作製する。このことにより、陽極箔の巻き始めが滑ることなく確実に巻き込まれるようになるため、陽極リード線の位置を常に安定させることができるようになって精度の高いコンデンサ素子が安定して得られ、かつショート発生の無い高品質の電解コンデンサを提供することができるとされている。
【０００３】
また、特許文献２は、軸方向にスリットが形成された軸部の前記スリットに電極箔およびセパレータの端部を挿入し、回転によって前記軸部上に電解コンデンサ素子を巻回する電解コンデンザ素子の巻軸において、前記スリットによって前記軸部の周面部に形成された角部を曲面化したことにより、巻回される電極箔がその円周面に沿って折り曲げられ、電極箔の巻回に伴う曲率を低下させて曲げ応力の作用を緩和させることができ、巻回時の箔折れ、亀裂、誘電体酸化皮膜の棄損などの損傷から電極箔を保護することができ、信頼性の高い電解コンデンザ素子を形成することができるとされている。
【０００４】
また、特許文献３は、ロール状の巻回装置用巻芯において、電極材料を挟む間隔を開けて近接する複数の可撓線材と、複数の可撓線材を支持する軸体とを備えた巻回装置用巻芯を用いることにより、複数の可撓線材の周りに電極材料がロール状に巻回したとき、この電極材料が可撓線材を締付ける力を、可撓線材の弾性変形する力として逃すことができる。これにより、可撓線材と巻回された電極材料との間に隙間を確保し、或いは両者間の摩擦力を低減できるので、複数の可撓線材から電極材料の巻回物を容易に抜き取ることができるとされている。
【０００５】
また、特許文献４は、コンデンサの巻回装置において、軸受の中心に配置されたピンを、巻軸に設けたスリットに挿入し、巻軸の先端を軸受の内側面に押圧することで、巻軸の支持機構付近の径寸法と先端付近での径寸法とを一定に保持し、巻回される電極箔及びセパレータのズレを抑制することができるとされている。
【０００６】
また、特許文献５は、渦巻状電極体の製造方法において、巻芯の巻回軸方向に対して傾斜した対向面を有し対向して設けられ第１ピン及び第２ピンを用い、該対向面でセパレータを挟持して電極と共に巻回する巻回ステップと、巻回した後、第１ピン及び第２ピンを渦巻状電極体から抜取る抜取ステップとを有することにより、従来よりも巻芯折れの発生を低減することができ、その結果、渦巻状電極体の生産性を向上させることができる。また、巻ズレやチャック不良も軽減させることができ、この点でも生産性の向上に寄与することができるとされている。
【先行技術文献】
【特許文献】
【０００７】
【特許文献１】特開２００２−７５８００号公報
【特許文献２】特開平２−１１２２０５号公報
【特許文献３】特開２００９−９３９０１号公報
【特許文献４】特開平６−３２５９９０号公報
【特許文献５】特開平９−３２０６１２号公報
【発明の概要】
【発明が解決しようとする課題】
【０００８】
しかしながら、特許文献１では、陽極箔が巻回始めで折れて切れてしまい、巻回不良が多発するという課題を有している。
【０００９】
また、特許文献１、２では、巻回することによる巻芯及び巻軸を締め付ける力が増大し、コンデンサ素子を巻芯及び巻軸から離脱しにくく、巻回後の巻きズレが生じやすくなる課題を有している。
【００１０】
また、特許文献３では、可撓線材が直径０．５ｍｍと細く、巻回した素子の外形寸法精度にバラツキが生じやすいという課題を有している。
【００１１】
また、特許文献４では、ピンによる巻軸の先端への押圧作用が解除されても、特に前記巻軸のスリット根元部分での直径の変化が殆どない。このため、巻軸に帯状体が巻回された後にピンが退動された状態でも、前記巻軸の先端側のみが縮径するだけであり、この巻回された帯状体を巻軸から円滑に取り外しにくいという課題を有している。
【００１２】
また、特許文献５では、第１ピンに第２ピンを挟持させるとき、挟持面に配置したセパレータがずれて、巻きズレを起こして巻回されるという課題を有している。
【００１３】
本発明は、前記課題を解決するものであり、電極材料を巻回するときの巻きズレを無くし、巻回した素子を巻芯から容易に抜き取ることができ、巻回による不良率を低減するとともに、生産性の向上と素子の電気的特性のバラツキを低減して品質の向上を実現することができる巻回装置の巻芯及び素子の製造方法を提供するものである。
【課題を解決するための手段】
【００１４】
前記課題を解決するために本発明は、電極材料を巻回する巻回装置の巻芯であって、巻芯は第１巻軸と第２巻軸を有し、前記第１巻軸は、第１軸受に固定される円柱の第１固定部と、第１固定部から延びて軸の長手方向に傾斜した切断面を有した半円柱の第１巻回部を第１段差部を介して有し、前記第１固定部の外周に第１段差部を覆う第１保持ガイドが配設され、前記第２巻軸は、第２軸受に固定される円柱の第２固定部と、第２固定部から延びて軸の長手方向に傾斜した切断面を有した半円柱の第２巻回部を第２段差部を介して有し、前記第２固定部の外周に第２段差部を覆う第２保持ガイドが配設され、前記第１巻回部の先端と第２巻回部の先端が対向するように前記第１巻軸と第２巻軸を水平に対置させ、前記第１巻回部の先端を第２保持ガイドと第２段差部の間に差し込み、かつ、前記第２巻回部の先端を第１保持ガイドと第１段差部の間に差し込んで第１巻回部の切断面と第２巻回部の切断面の間に隙間を設けた巻回装置の巻芯とするものである。
【００１５】
また、巻回装置の巻芯を用いて電極材料を巻回する素子の製造方法であって、巻芯は第１巻軸と第２巻軸を有し、前記第１巻軸は、第１軸受に固定される円柱の第１固定部と、第１固定部から延びて軸の長手方向に傾斜した切断面を有した半円柱の第１巻回部を第１段差部を介して有し、前記第１固定部の外周に第１段差部を覆う第１保持ガイドが配設され、前記第２巻軸は、第２軸受に固定される円柱の第２固定部と、第２固定部から延びて軸の長手方向に傾斜した切断面を有した半円柱の第２巻回部を第２段差部を介して有し、前記第２固定部の外周に第２段差部を覆う第２保持ガイドが配設され、前記第１巻回部の先端と第２巻回部の先端が対向するように前記第１巻軸と第２巻軸を水平に対置させてなり、前記第１巻軸を水平移動させて第１巻回部の切断面に電極材料を配置させ、続いて、前記第２巻軸を水平移動させて第２保持ガイドと第２段差部の間に第１巻回部の先端を差し込むと同時に、第１保持ガイドと第１段差部の間に第２巻回部の先端が差し込まれる工程と、前記第１巻回部の切断面と第２巻回部の切断面の間に設けた隙間に電極材料が挟み込まれて巻芯を回転することにより巻回された素子を形成する工程と、前記第２巻軸を素子から引き抜いた後、前記第１巻軸から素子を抜き取る工程と、を備えた素子の製造方法とするものである。
【発明の効果】
【００１６】
本発明によれば、巻芯は第１巻軸と第２巻軸を有し、第１巻軸と第２巻軸のそれぞれに固定部から延びて軸の長手方法に傾斜した切断面を有する巻回部を段差部を介して有していることにより、第１巻回部の先端が第２保持ガイドと第２段差部の間に嵌り、また、第２巻回部の先端が第１保持ガイドと第１段差部の間に嵌り、それぞれの巻回部の切断面の間に隙間を設けることができる。
【００１７】
この隙間は、電極材料の厚さよりも若干厚い隙間にするように段差部の高さを調節し、第１巻軸と第２巻軸を一体化するときの電極材料の位置ズレを防ぐことができる。その結果、電極材料を巻回するときの巻きズレの不良率を低減することができる。
【００１８】
また、第１巻回部の先端と第２巻回部の先端が嵌り込んで固定することにより、第１巻軸と第２巻軸が一体となり、巻回した素子の外形寸法精度が向上し、素子の電気的特性のロット間バラツキを低減することができる。
【００１９】
さらに、巻回部の先端を他方の段差部に配設することにより、巻回した素子から片方の巻軸を引き抜くときに、巻回部の先端が段差部から直ぐに離れ、巻軸にかかる締め付け圧力がなくなり、引き抜く巻軸を容易に引き抜くことができる。
【００２０】
また、第１巻回部の切断面または第２巻回部の切断面のいずれか一方の厚さを他方より薄くすることにより、薄くした方の巻軸を素子から先に引き抜くことにより、薄くした方の巻回部の素子に対する接触面積が小さく、摩擦抵抗が低くなることから、巻回部の先端が直ちに段差部から離れて、素子から容易に引き抜くことができ、巻回後の巻きズレを防止することができる。
【００２１】
また、素子の製造方法において、第１巻回部の切断面と第２巻回部の切断面の間に設けた隙間の軸方向の長さは、巻回する素子の幅の長さよりも長くし、素子の幅方向の両サイドに隙間を露出させることにより、それぞれの巻回部の先端における巻回の締め付け圧力が弱く、巻回後の巻軸を引き抜くときに、それぞれの巻回部の切断面の間に設けた隙間に巻回部の先端が落ち込み、巻軸に対する巻回の締め付け圧力が無くなり、容易に巻軸を引き抜くことができる。その結果、巻回後の巻きズレを無くすことができる。
【００２２】
また、巻回の最初を巻回部が厚い方（第１巻回部）に巻き付けることにより、堅く巻き付けられ、巻回するときの巻きズレが生じにくい。
【００２３】
また、電極材料は陽極箔、陰極箔、セパレータからなり、第１巻回部と第２巻回部の間に設けた隙間にはセパレータだけを挟み込むようにすることにより、陽極箔及び陰極箔の損傷をできるだけ低減することができ、巻回するときの巻きズレも無くすことができる。
【図面の簡単な説明】
【００２４】
【図１】本発明の実施の形態１における巻回装置の巻芯の構成を示す断面図
【図２】同実施の形態における第１巻軸と第２巻軸を一体化させた断面図
【図３】同実施の形態１における素子を巻回するときの巻芯の断面図
【図４】同実施の形態１における素子を巻回したときの巻芯の断面図
【図５】同実施例１のコンデンサ素子を製造する巻回装置の概略断面図
【図６】同比較例１で用いた従来の巻芯の構成を示す断面図
【発明を実施するための形態】
【００２５】
（実施の形態１）
以下、本発明における実施の形態１について図面を用いて説明する。
【００２６】
図１は本実施の形態１における巻回装置の巻芯の構成を示す断面図である。図１において、巻芯１０は、第１巻軸１２と第２巻軸２０を有している。
【００２７】
前記第１巻軸１２は、第１軸受１１に固定される円柱の第１固定部１３と、第１固定部１３から延びて軸の長手方向に傾斜した切断面１５ａを有した半円柱の第１巻回部１５を第１段差部１４を介して有し、第１固定部１３の外周に第１段差部１４を覆う第１保持ガイド１７が配設されている。
【００２８】
また、前記第２巻軸２０も、第２軸受１９に固定される円柱の第２固定部２１と、第２固定部２１から延びて軸の長手方向に傾斜した切断面２３ａを有した半円柱の第２巻回部２３を第２段差部２２を介して有し、第２固定部２１の外周に第２段差部２２を覆う第２保持ガイド２５が配設されている。
【００２９】
前記第１巻回部１５の先端１６と第２巻回部２３の先端２４が対向するように第１巻軸１２と第２巻軸２０が水平方向に対置されており、それぞれの巻軸１２、２０を水平移動させて、前記第１巻回部１５の先端１６を第２保持ガイド２５と第２段差部２２の間に差し込むと同時に、前記第２巻回部２３の先端２４も第１保持ガイド１７と第１段差部１４の間に差し込まれる。
【００３０】
図２は第１巻軸１２と第２巻軸２０を一体化させたときの断面図である。第１巻回部１５の切断面１５ａと第２巻回部２３の切断面２３ａの間に隙間２６が形成される。
【００３１】
なお、第１巻回部１５の先端１６及び第２巻回部２３の先端２４の差し込みは、それぞれの段差部１４、２２が傾斜しているので、第１段差部１４及び第２段差部２２の途中で固定される。
【００３２】
前記第１巻軸１２及び第２巻軸２０は、硬度の硬い高速度鋼の棒を用い、放電加工等によりそれぞれの段差部１４、２２及び巻回部１５、２３を傾斜させて切断し、断面形状を半円形の形状にした一体の巻軸としたものである。
【００３３】
次に、本実施の形態１における巻芯を用いた素子の製造方法について、図面を用いて詳細に説明する。
【００３４】
素子の製造方法は、前記巻芯１０を用いて、第１巻軸１２を水平移動させて第１巻回部１５の切断面１５ａに電極材料を配置させ、続いて、第２巻軸２０を水平移動させて第２保持ガイド２５と第２段差部２２の間に第１巻回部１５の先端１６を差し込むと同時に、第１保持ガイド１７と第１段差部１４の間に第２巻回部２３の先端２４が差し込まれる工程と、前記第１巻回部１５の切断面１５ａと第２巻回部２３の切断面２３ａの間に設けた隙間に電極材料が挟み込まれて巻芯１０を回転することにより巻回された素子を形成する工程と、前記第２巻軸２０を素子から引き抜いた後、前記第１巻軸１２から素子を抜き取る工程を備えた製造方法とするものである。
【００３５】
図３は、電極材料２７を巻回するときの巻芯１０の断面図である。電極材料２７は、ロール状からなり、巻回装置の所定の位置に配設されているものであるが、ここでは図示しない。
【００３６】
電極材料２７は、第１巻軸１２を水平移動させて第１巻回部１５の切断面１５ａに配置される。この第１巻軸１２に、第２巻軸２０を水平移動させ、第２保持ガイド２５と第２段差部２２の間に第１巻回部１５の先端１６を差し込むと同時に、第１保持ガイド１７と第１段差部１４の間に第２巻回部２３の先端２４を差し込む。
【００３７】
このとき、第１巻回部１５の切断面１５ａと第２巻回部２３の切断面２３ａの間に隙間２６ができるので、第１巻軸１２と第２巻軸２０を一体化したときの電極材料２７の位置ズレを防いでくれる。
【００３８】
そして、第１巻軸１２と第２巻軸２０を一体化した巻芯１０を回転させて、電極材料２７を巻回することにより、電極材料２７を巻回した素子が形成される。この巻回のとき、電極材料２７の位置ズレが生じないので、巻回される素子の巻きズレも無くなり、巻回による巻きズレの不良率を低減することができる。
【００３９】
また、第１巻軸１２と第２巻軸２０が一体化して固定されるので、巻回した素子の外形寸法精度が向上し、素子の電気的特性のロット間バラツキを低減することができる。
【００４０】
図４は第１巻軸１２と第２巻軸２０を一体化した巻芯１０に電極材料２７を巻回して素子を形成したときの断面図である。
【００４１】
素子２８は、巻芯１０の中央部に位置し、第１巻回部１５の切断面１５ａと第２巻回部２３の切断面２３ａの間に設けた隙間２６の軸方向の長さは、巻回する素子２８の幅の長さよりも長くし、素子２８の幅方向の両サイドに隙間２６を露出させるようにする。
【００４２】
これにより、それぞれの巻回部の先端１６、２４における巻回の締め付け圧力が弱いので、巻回後に一方の巻軸を引き抜くときに、それぞれの巻回部１５、２３の間に設けた隙間２６に巻回部の先端１６、２４が落ち込み、それぞれの巻軸１２、２０に対する巻回の締め付け圧力が無くなり、容易に一方の巻軸を引き抜くことができる。その結果、巻回後の巻きズレを低減することができる。
【００４３】
前記第１巻軸１２及び第２巻軸２０は同じものを用いても良いが、第１巻回部１５または第２巻回部２３のいずれか一方の厚さを他方より薄くすることにより、薄くした方の巻回部の素子２８に対する接触面積が小さく、摩擦抵抗が低くなることから、巻回部の先端が直ちに段差部から離れて、素子２８から容易に引き抜くことができ、巻回後の巻きズレをさらに低減することができる。
【００４４】
なお、巻軸から素子２８を引き離すときに、第１軸受１１に可動式の引き抜きガイド１８を配設することにより、第１巻軸１２から巻きズレを生じさせないように素子２８を引き抜くことができる。
【００４５】
次に、電解コンデンサに用いられるコンデンサ素子の製造方法について、具体的な実施例を説明する。
【００４６】
（実施例１）
図５は電解コンデンサのコンデンサ素子を製造する巻回装置の概略断面図である。図５において、コンデンサ素子を構成する陽極箔３１（厚み１００μｍ、幅３０ｍｍ）、陰極箔３２（厚み４０μｍ、幅３０ｍｍ）、セパレータ３３（厚み４０μｍ、幅３５ｍｍ）は所定の位置に配設する。また、巻芯１０は前記図１の構成のものを用いた（第１巻軸と第２巻軸を一体化したときの隙間の軸方向の幅７０ｍｍ、隙間の高さ１００μｍ）。
【００４７】
まず、２枚のセパレータ３３を巻芯１０まで配設し、続いて、第１巻軸（図面では手前に位置するが省略する）を水平移動させ第１巻軸の第１巻回部の切断面に配置する。さらに、第２巻軸（図面では奥に位置するが省略する）を水平移動させ、第２保持ガイドと第２段差部の間に第１巻回部の先端を差し込むと同時に、第１保持ガイドと第１段差部の間に第２巻回部の先端を差し込む。
【００４８】
次に、セパレータ３３が第１巻軸の巻回部に最初に巻回されるように巻芯１０を回転させ、セパレータ３３を巻芯１０に数回巻回する。
【００４９】
次に、陽極箔３１及び陰極箔３２をセパレータ３３間に挟み込んでさらに巻回し、所定の大きさのコンデンサ素子を巻回した。
【００５０】
次に、第２巻軸をコンデンサ素子から引き抜き、その後、第１巻軸を引き抜くことによりコンデンサ素子を作製した。
【００５１】
（比較例１）
前記実施例１において、巻芯１０を図６に示したものを用いた以外は前記実施例１と同じようにしてコンデンサ素子を作製した。
【００５２】
なお、図６において、第１巻軸４０及び第２巻軸４１に段差部は存在せず、巻回部の厚みも同じものを用いた。
【００５３】
前記実施例１及び比較例１のコンデンサ素子を各５００個作製し、コンデンサ素子の巻き始めの巻きズレと、巻芯から引き抜いたときの巻きズレの不良率を検査した。
【００５４】
また、作製したコンデンサ素子を用いて電解コンデンサを作製し、その静電容量及びｔａｎδの電気的特性の標準偏差を測定した。その結果を（表１）に示す。
【００５５】
なお、電解コンデンサの作製は、一般的に知られている方法を用いて作製した。
【００５６】
【表１】
2013187356.tif 000003
【００５７】
（表１）から明らかなように、実施例１のコンデンサ素子は巻回するときの巻きズレが起きず、巻芯からコンデンサ素子を引き抜くときの巻きズレも無かった。
【００５８】
また、コンデンサ素子を用いた電解コンデンサにおいても、実施例１の電解コンデンサの電気的特性バラツキが比較例１の電解コンデンサよりも極めて低いものが得られる。
【００５９】
このように、巻芯として、第１巻軸と第２巻軸を有し、前記第１巻軸は、第１軸受に固定される円柱の第１固定部と、第１固定部から延びて軸の長手方向に傾斜した切断面を有した半円柱の第１巻回部を第１段差部を介して有し、前記第１固定部の外周に第１段差部を覆う第１保持ガイドが配設され、前記第２巻軸は、第２軸受に固定される円柱の第２固定部と、第２固定部から延びて軸の長手方向に傾斜した切断面を有した半円柱の第２巻回部を第２段差部を介して有し、前記第２固定部の外周に第２段差部を覆う第２保持ガイドが配設され、前記第１巻回部の先端と第２巻回部の先端が対向するように前記第１巻軸と第２巻軸を水平に対置させ、前記第１巻回部の先端を第２保持ガイドと第２段差部の間に差し込み、かつ、前記第２巻回部の先端を第１保持ガイドと第１段差部の間に差し込んで第１巻回部の切断面と第２巻回部の切断面の間に隙間を設けたものを用いることにより、電極材料を巻回するときの巻きズレを無くし、巻回した素子を巻芯から容易に抜き取ることができ、巻回による巻きズレの不良率を低減することができる。
【００６０】
また、前記巻芯を用いて素子を形成し、その素子を用いた電解コンデンサは、その電気的特性のバラツキが低減し、品質の向上を実現できるものである。
【産業上の利用可能性】
【００６１】
本発明の巻回装置の巻芯を用いて電極材料を巻回した素子は、各種電子機器等に使用される金属化フィルムコンデンサ、電解コンデンサ、電気二重層コンデンサ等の各種コンデンサや円筒型電池に用いることができ、素子の巻きズレの不良低減と、素子を用いたコンデンサ及び電池の電気的特性のバラツキを低減することができる。
【符号の説明】
【００６２】
１０  巻芯
１１  第１軸受
１２  第１巻軸
１３  第１固定部
１４  第１段差部
１５  第１巻回部
１５ａ  第１巻回部の切断面
１６  第１巻回部の先端
１７  第１保持ガイド
１８  引き抜きガイド
１９  第２軸受
２０  第２巻軸
２１  第２固定部
２２  第２段差部
２３  第２巻回部
２３ａ  第２巻回部の切断面
２４  第２巻回部の先端
２５  第２保持ガイド
【図１】
2013187356.tif 000004
【図２】
2013187356.tif 000005
【図３】
2013187356.tif 000006
【図４】
2013187356.tif 000007
【図５】
2013187356.tif 000008
【図６】
2013187356.tif 000009